Podtech/llm-jp-corpus-v4-ja_patent huggingface dataset:
【手続補正書】
【提出日】平成21年7月6日(2009.7.6)
【手続補正１】
【補正対象書類名】特許請求の範囲
【補正対象項目名】請求項６
【補正方法】変更
【補正の内容】
【請求項６】
前記接合部温度検出手段は、
前記発光体に供給される駆動電流を読み取る電流読み取り手段と、
前記発光体に印加される駆動電圧を読み取る電圧読み取り手段と、
前記発光体の周囲温度を測定する温度測定手段と、
前記発光体と前記温度測定手段との間の熱抵抗を記憶する記憶手段と、
前記電流読み取り手段で読み取られた前記駆動電流と前記電圧読み取り手段で読み取られた前記駆動電圧と前記温度測定手段で測定された前記周囲温度と前記記憶手段に記憶された前記熱抵抗とを用いて前記発光体の接合部温度を算出する演算手段とを有する
ことを特徴とする請求項１記載の照明装置。
【手続補正２】
【補正対象書類名】特許請求の範囲
【補正対象項目名】請求項１２
【補正方法】変更
【補正の内容】
【請求項１２】
前記接合部温度検出手段は、
前記発光体に供給される駆動電流を読み取る電流読み取り手段と、
前記発光体に印加される駆動電圧を読み取る電圧読み取り手段と、
前記発光体の周囲温度を測定する温度測定手段と、
前記発光体と前記温度測定手段との間の熱抵抗を記憶する記憶手段と、
前記電流読み取り手段で読み取られた前記駆動電流と前記電圧読み取り手段で読み取られた前記駆動電圧と前記温度測定手段で測定された前記周囲温度と前記記憶手段に記憶された前記熱抵抗とを用いて前記発光体の接合部温度を算出する演算手段とを有する
ことを特徴とする請求項７記載の表示装置。
【手続補正３】
【補正対象書類名】明細書
【補正対象項目名】００２２
【補正方法】変更
【補正の内容】
【００２２】
本発明に係る第６の照明装置は、上記第１の照明装置の発明において、
前記接合部温度検出手段は、
前記発光体に供給される駆動電流を読み取る電流読み取り手段と、
前記発光体に印加される駆動電圧を読み取る電圧読み取り手段と、
前記発光体の周囲温度を測定する温度測定手段と、
前記発光体と前記温度測定手段との間の熱抵抗を記憶する記憶手段と、
前記電流読み取り手段で読み取られた前記駆動電流と前記電圧読み取り手段で読み取られた前記駆動電圧と前記温度測定手段で測定された前記周囲温度と前記記憶手段に記憶された前記熱抵抗とを用いて前記発光体の接合部温度を算出する演算手段とを有する
ことを特徴とするものである。
【手続補正４】
【補正対象書類名】明細書
【補正対象項目名】００２３
【補正方法】変更
【補正の内容】
【００２３】
本発明に係る第６の表示装置は、上記第１の表示装置の発明において、
前記接合部温度検出手段は、
前記発光体に供給される駆動電流を読み取る電流読み取り手段と、
前記発光体に印加される駆動電圧を読み取る電圧読み取り手段と、
前記発光体の周囲温度を測定する温度測定手段と、
前記発光体と前記温度測定手段との間の熱抵抗を記憶する記憶手段と、
前記電流読み取り手段で読み取られた前記駆動電流と前記電圧読み取り手段で読み取られた前記駆動電圧と前記温度測定手段で測定された前記周囲温度と前記記憶手段に記憶された前記熱抵抗とを用いて前記発光体の接合部温度を算出する演算手段とを有する
ことを特徴とするものである。
【手続補正５】
【補正対象書類名】明細書
【補正対象項目名】００３７
【補正方法】変更
【補正の内容】
【００３７】
ＬＥＤ４は、本発明の実施の形態に係る照明装置の光源となる発光体である。この発光体は、発光色の異なる３種類のＬＥＤ４ａ，４ｂ，４ｃによって構成されている。さらに詳述すると、ＬＥＤ４ａは、赤色波長成分の光を発生する赤色発光体であり、ＬＥＤ４ｂは、緑色波長成分の光を発生する緑色発光体であり、ＬＥＤ４ｃは、青色波長成分の光を発生する青色発光体である。なお、各々のＬＥＤ４ａ，４ｂ，４ｃは、それぞれ、一個のＬＥＤで構成されてもよいし、複数個のＬＥＤを一つの組として構成されてもよい。また、照明装置の光源としては、半導体レーザ（ＬＤ）を用いてもよい。
【手続補正６】
【補正対象書類名】明細書
【補正対象項目名】００５０
【補正方法】変更
【補正の内容】
【００５０】
次に、演算装置１は、色度測定器１１で測定された色度と、予め設定された基準色度（最適とされる色度）との差が小さくなるように、駆動電流の調整量を指定した制御信号をＬＥＤ駆動装置３に出力することにより、ＬＥＤ駆動装置３から各々のＬＥＤ４ａ，４ｂ，４ｃに供給される駆動電流を調整（増減）する（ステップＳ３）。基準色度は、スクリーン１０への光の投影によって表示される映像（画像と同義）のホワイトバランスが最適とされる色度である。基準色度のデータは、事前に記憶装置２に記憶しておいて、そこから演算装置１が読み出すようにしてもよいし、その都度、調整時に演算装置１に入力してもよい。
【手続補正７】
【補正対象書類名】明細書
【補正対象項目名】００７１
【補正方法】変更
【補正の内容】
【００７１】
また、温度補正関数fba（Δt）は、赤色波長成分の光を発生するＬＥＤ４ａの接合部温度変化量（ΔTja）に対する、ＬＥＤ４ｂの光量補正の割合を規定する関数であり、温度補正関数fbb（Δt）は、緑色波長成分の光を発生するＬＥＤ４ｂの接合部温度変化量（ΔTjb）に対する、ＬＥＤ４ｂの光量補正の割合を規定する関数であり、温度補正関数fbc（Δt）は、青色波長成分の光を発生するＬＥＤ４ｃの接合部温度変化量（ΔTjc）に対する、ＬＥＤ４ｂの光量補正の割合を規定する関数である。
【手続補正書】
【提出日】平成21年7月15日(2009.7.15)
【手続補正１】
【補正対象書類名】明細書
【補正対象項目名】特許請求の範囲
【補正方法】変更
【補正の内容】
【特許請求の範囲】
【請求項１】  レーザの発光部を備える半導体レーザ装置であって、
前記レーザの発光部の形状に合わせた開口部を持つ電極層と、開口部を持たない電極層と、を積層して構成された電極を具備し、
前記開口部を持たない電極層は、前記開口部を持つ電極層よりも、エッチング速度が大きい材料を用いたことを特徴とする半導体レーザ装置。
【請求項２】  前記電極は、前記開口部を持たない電極層及び前記開口部を持つ電極層の少なくとも一方を、複数層積層して構成された電極であることを特徴とする請求項１記載の半導体レーザ装置。
【請求項３】  請求項１又は２に記載の半導体レーザ装置の検査方法であって、
前記レーザの発光部の上に形成された前記レーザの発光部の形状に合わせた開口部を持つ電極層をエッチングマスクとして、前記レーザの発光部と前記開口部を持つ電極層との間に形成された前記開口部を持たない電極層を選択エッチングすることによりレーザの発光部上の前記開口部を持たない電極層を除去して前記レーザの発光部を露出させて、該レーザーの発光部を検査することを特徴とする半導体レーザ装置の検査方法。
【手続補正２】
【補正対象書類名】明細書
【補正対象項目名】００１０
【補正方法】変更
【補正の内容】
【００１０】
【課題を解決しようとする手段】
上記目的を達成するために、本発明の一側面としての半導体レーザ装置は、レーザの発光部を備える半導体レーザ装置であって、前記レーザの発光部の形状に合わせた開口部を持つ電極層と、開口部を持たない電極層と、を積層して構成された電極を具備し、前記開口部を持たない電極層は、前記開口部を持つ電極層よりも、エッチング速度が大きい材料を用いたことを特徴とする。
【手続補正３】
【補正対象書類名】明細書
【補正対象項目名】００１１
【補正方法】削除
【補正の内容】
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
半導体基板上に形成され、かつ、互い違いに配置されたソース電極およびドレイン電極となる２個のオーミック電極と、
上記２個のオーミック電極の間に配置され、かつ、上記２個のオーミック電極の間を這うように配置された少なくとも２個のゲート電極と、
上記少なくとも２個のゲート電極のうちの隣り合うゲート電極の間に挟まれ、かつ、上記隣り合うゲート電極に沿って配置された導電領域と
を具備して成る電界効果型トランジスタと、
上記導電領域の一端と上記２個のオーミック電極の各々とをそれぞれ直列に接続する抵抗と
を備え、
上記２個のオーミック電極の全体と、上記隣り合うゲート電極の上記２個のオーミック電極に挟まれた部分と、上記導電領域の全体とが、素子を他の領域から分離する共通の素子分離領域に形成されている
ことを特徴とするスイッチング素子。
【請求項２】
請求項１において、
上記少なくとも２個のゲート電極のうちの上記２個のオーミック電極と隣り合うゲート電極の一端は、挟まれている上記導電領域から離れる方向に延在している
ことを特徴とするスイッチング素子。
【請求項３】
請求項１において、
上記導電領域は、ｎ型の導電型を有する不純物イオンが導入されて成るｎ型キャップ層を含んでいる
ことを特徴とするスイッチング素子。
【請求項４】
請求項１において、
上記抵抗の個々の抵抗値が上記導電領域の実効的な抵抗値より小さい
ことを特徴とするスイッチング素子。
【請求項５】
送信信号を入力するための第１の端子と、
アンテナに接続された第２の端子と、
上記アンテナで受信した受信信号を出力するための第３の端子と、
上記第１の端子と上記第２の端子との間に接続された第１のスイッチング素子と、
上記第２の端子と上記第３の端子との間に接続された第２のスイッチング素子と
を具備して成り、
送信時に上記第１のスイッチング素子が導通状態になりかつ上記第２のスイッチング素子が非導通状態になり、受信時に上記第１のスイッチング素子が非導通状態になりかつ上記第２のスイッチング素子が導通状態になり、
上記第１及び第２のスイッチング素子の各々は、
半導体基板上に形成され、かつ、互い違いに配置されたソース電極およびドレイン電極となる２個のオーミック電極と、
上記２個のオーミック電極の間に配置され、かつ、上記２個のオーミック電極の間を這うように配置された少なくとも２個のゲート電極と、
上記少なくとも２個のゲート電極のうちの隣り合うゲート電極の間に挟まれ、かつ、上記隣り合うゲート電極に沿って配置された導電領域と
を具備して成る電界効果型トランジスタと、
上記導電領域の一端と上記２個のオーミック電極の各々とをそれぞれ直列に接続する抵抗と
を備え、
上記２個のオーミック電極の全体と、上記隣り合うゲート電極の上記２個のオーミック電極に挟まれた部分と、上記導電領域の全体とが、素子を他の領域から分離する共通の素子分離領域に形成されている
ことを特徴とするアンテナスイッチ回路。
【請求項６】
請求項５において、
上記少なくとも２個のゲート電極のうちの上記２個のオーミック電極と隣り合うゲート電極の一端は、挟まれている上記導電領域から離れる方向に延在している
ことを特徴とするアンテナスイッチ回路。
【請求項７】
請求項５において、
上記導電領域は、ｎ型の導電型を有する不純物イオンが導入されて成るｎ型キャップ層を含んでいる
ことを特徴とするアンテナスイッチ回路。
【請求項８】
請求項５において、
上記抵抗の個々の抵抗値が上記導電領域の実効的な抵抗値より小さい
ことを特徴とするアンテナスイッチ回路。
【請求項９】
送信信号を増幅する第１の増幅器と、
アンテナで受信した受信信号を増幅する第２の増幅器と、
送信時に上記第１の増幅器が出力する上記送信信号を上記アンテナに送り、受信時に上記アンテナで受信した上記受信信号を上記第２の増幅器に送るアンテナスイッチ回路と
を具備して成り、
上記アンテナスイッチ回路は、
上記第１の増幅器が出力する上記送信信号を入力するための第１の端子と、
上記アンテナに接続された第２の端子と、
上記アンテナで受信した上記受信信号を出力するための第３の端子と、
上記第１の端子と上記第２の端子との間に接続された第１のスイッチング素子と、
上記第２の端子と上記第３の端子との間に接続された第２のスイッチング素子と
を具備して成り、
送信時に上記第１のスイッチング素子が導通状態になりかつ上記第２のスイッチング素子が非導通状態になり、受信時に上記第１のスイッチング素子が非導通状態になりかつ上記第２のスイッチング素子が導通状態になり、
上記第１及び第２のスイッチング素子の各々は、
半導体基板上に形成され、かつ、互い違いに配置されたソース電極およびドレイン電極となる２個のオーミック電極と、
上記２個のオーミック電極の間に配置され、かつ、上記２個のオーミック電極の間を這うように配置された少なくとも２個のゲート電極と、
上記少なくとも２個のゲート電極のうちの隣り合うゲート電極の間に挟まれ、かつ、上記隣り合うゲート電極に沿って配置された導電領域と
を具備して成る電界効果型トランジスタと、
上記導電領域の一端と上記２個のオーミック電極の各々とをそれぞれ直列に接続する抵抗と
を備え、
上記２個のオーミック電極の全体と、上記隣り合うゲート電極の上記２個のオーミック電極に挟まれた部分と、上記導電領域の全体とが、素子を他の領域から分離する共通の素子分離領域に形成されている
ことを特徴とする高周波モジュール。
【請求項１０】
請求項９において、
上記少なくとも２個のゲート電極のうちの上記２個のオーミック電極と隣り合うゲート電極の一端は、挟まれている上記導電領域から離れる方向に延在している
ことを特徴とする高周波モジュール。
【請求項１１】
請求項９おいて、
上記導電領域は、ｎ型の導電型を有する不純物イオンが導入されて成るｎ型キャップ層を含んでいる
ことを特徴とする高周波モジュール。
【請求項１２】
請求項９において、
上記抵抗の個々の抵抗値が上記導電領域の実効的な抵抗値より小さい
ことを特徴とする高周波モジュール。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
非鉄金属を含有するパターン付き半導体ウェーハのケミカルメカニカルポリッシングに有用な無砥粒水性組成物であって、酸化剤、非鉄金属のインヒビター、水溶性改質セルロース０〜１５重量％、リン化合物０〜１５重量％、炭素数２〜２５０のイオン親水部分と疎水端とを有し、イオン親水部分がアニオン性親水性セグメントを含み、親水性セグメントが、ポリアクリル酸、ポリメタクリル酸又はポリアクリル酸及びポリメタクリル酸のコポリマーを含み、疎水端がアルキルメルカプタンを含む両親媒性ポリマー０．００５〜５重量％及び水を含む組成物。
【請求項２】
非鉄金属を含有するパターン付き半導体ウェーハのケミカルメカニカルポリッシングに有用な無砥粒水性組成物であって、酸化剤０〜２５重量％、非鉄金属のインヒビター０．０５〜１５重量％、非鉄金属の錯化剤０〜１５重量％、水溶性改質セルロース０．０１〜５重量％、リン化合物０．０１〜１０重量％、疎水端と炭素数５〜１００のイオン親水部分とを有し、イオン親水部分がアニオン性親水性セグメントを含み、親水性セグメントが、ポリアクリル酸、ポリメタクリル酸又はポリアクリル酸及びポリメタクリル酸のコポリマーを含み、疎水端がアルキルメルカプタンを含む数平均分子量５０〜４，０００の両親媒性ポリマー０．０１〜３重量％及び水を含む組成物。
【請求項３】
前記両親媒性ポリマーが１００〜３，０００の数平均分子量を有する、請求項２記載の組成物。
【請求項４】
前記両親媒性ポリマーが、アクリル酸又はメタクリル酸で形成されたコポリマーである、請求項２又は３記載の組成物。
【請求項５】
前記両親媒性ポリマーがアルキルメルカプタン／メタクリル酸コポリマーである、請求項２〜４のいずれか１項記載の組成物。
【手続補正書】
【提出日】平成20年11月28日(2008.11.28)
【手続補正１】
【補正対象書類名】明細書
【補正対象項目名】特許請求の範囲
【補正方法】変更
【補正の内容】
【特許請求の範囲】
【請求項１】
アディポネクチンを有効成分として含有する急性創傷治療剤。
【請求項２】
下記（ａ）または（ｂ）に記載するポリペプチドを有効成分として含有する急性創傷治療剤。
（ａ）配列番号：１で示されるアミノ酸配列を有するポリペプチド、
（ｂ）上記（ａ）のアミノ酸配列において１若しくは複数個のアミノ酸が欠失、置換または付加されたアミノ酸配列からなり且つケラチノサイトの増殖及び／叉は遊走促進活性を有するポリペプチド。
【請求項３】
前記アディポネクチンが遺伝子組換え体であることを特徴とする請求項１に記載の急性創傷治療剤。
【請求項４】
切り傷、すり傷、外科的侵襲、皮膚移植、やけど、日焼け、潰瘍、床ずれ、静脈うっ血、破傷、乾癬、皮膚発疹、又は角膜損傷に対して用いられる、請求項１〜３のいずれかに記載の急性創傷治療剤。
【請求項５】
アディポネクチンを有効成分として含有するケラチノサイト増殖促進剤。
【請求項６】
下記（ａ）または（ｂ）に記載するポリペプチドを有効成分として含有するケラチノサイト増殖促進剤。
（ａ）配列番号：１で示されるアミノ酸配列を有するポリペプチド、
（ｂ）上記（ａ）のアミノ酸配列において１若しくは複数個のアミノ酸が欠失、置換または付加されたアミノ酸配列からなり且つケラチノサイトの増殖及び／叉は遊走促進活性を有するポリペプチド。
【請求項７】
前記アディポネクチンが遺伝子組換え体であることを特徴とする請求項４に記載のケラチノサイト増殖促進剤。
【請求項８】  
切り傷、すり傷、外科的侵襲、皮膚移植、やけど、日焼け、潰瘍、床ずれ、静脈うっ血、破傷、乾癬、皮膚発疹、角膜損傷に対して用いられる、請求項５〜７のいずれかに記載のケラチノサイト増殖抑制剤。
【請求項９】
アディポネクチンを有効成分として含有する再上皮形成促進剤。
【請求項１０】
下記（ａ）または（ｂ）に記載するポリペプチドを有効成分として含有する再上皮形成促進剤。
（ａ）配列番号：１で示されるアミノ酸配列を有するポリペプチド、
（ｂ）上記（ａ）のアミノ酸配列において１若しくは複数個のアミノ酸が欠失、置換または付加されたアミノ酸配列からなり且つケラチノサイトの増殖及び／叉は遊走促進活性を有するポリペプチド。
【請求項１１】
前記アディポネクチンが遺伝子組換え体であることを特徴とする請求項７に記載の再上皮形成促進剤。
【請求項１２】
切り傷、すり傷、外科的侵襲、皮膚移植、やけど、日焼け、潰瘍、床ずれ、静脈うっ血、破傷、乾癬、皮膚発疹、角膜損傷に対して用いられる、請求項９〜１１のいずれかに記載の再上皮形成促進剤。
【請求項１３】
アディポネクチン遺伝子の全部若しくは一部が欠失してなるか、または任意の部位に他の遺伝子が挿入若しくは置換されてなり、当該アディポネクチン遺伝子の発現能が抑制若しくは喪失しているか、または当該アディポネクチン遺伝子がコードするアディポネクチンの活性が抑制若しくは喪失している非ヒト動物の、急性創傷治癒遅延モデル動物としての使用。
【請求項１４】
非ヒト動物がマウスである、請求項１３の使用。
【請求項１５】
上記マウスが、アディポネクチンのマウスｃＤＮＡの３８〜２６８番目に相当するゲノム領域を欠失しているか、または該ゲノム領域が他の塩基配列で置換されてなる形質転換マウスである請求項１４に記載の使用。
【請求項１６】
再上皮形成が、対応する正常非ヒト動物に比べて低下してなる請求項１３〜１５のいずれかに記載の使用。
【請求項１７】
下記の工程を有する、創傷治療剤の有効成分のスクリーニング方法：
（１）請求項１３〜１６のいずれかに記載の急性創傷治癒遅延非ヒトモデル動物に急性創傷を形成する工程、
（２） 上記急性創傷治癒遅延非ヒトモデル動物に対して、被験物質を投与する工程、
（３） 以下の（ａ）又は（ｂ）のいずれかの試験を実施する工程、
（ａ）上記被験物質を投与した急性創傷を有する急性創傷治癒遅延非ヒトモデル動物の創傷部位における再上皮形成を測定し、被験物質を投与しない対照の急性創傷を有する急性創傷治癒遅延非ヒトモデル動物の創傷部位における再上皮形成と対比する、
（ｂ）上記被験物質を投与した急性創傷を有する急性創傷治癒遅延非ヒトモデル動物について創傷によって誘導される創傷部位におけるケラチノサイトのＢｒｄＵ陽性細胞数叉はＢｒｄＵ取込みの増加量を測定し、被験物質を投与しない対照の急性創傷を有する急性創傷治癒遅延非ヒトモデル動物について創傷によって誘導される創傷部位におけるケラチノサイトのＢｒｄＵ陽性細胞数叉はＢｒｄＵ取込みの増加量と対比する、
（４）（３）で実施した（ａ）または（ｂ）のいずれかの試験の結果に基づいて、被験物質を投与しない対照の急性創傷を有する急性創傷治癒遅延非ヒトモデル動物に比してそれぞれ下記（ａ’）または（ｂ’）のいずれかの効果が得られた、急性創傷を有する急性創傷治癒遅延非ヒトモデル動物に対して投与された被験物質を、急性創傷治療剤の有効成分の候補成分として選択する工程：
（ａ’）再上皮形成促進または増加、
（ｂ’）ケラチノサイトのＢｒｄＵ陽性細胞数の増加またはＢｒｄＵ取込み量の増加。
【手続補正書】
【提出日】平成21年3月25日(2009.3.25)
【手続補正１】
【補正対象書類名】明細書
【補正対象項目名】００１４
【補正方法】変更
【補正の内容】
【００１４】
コネクタ１は、主に、樹脂等の絶縁材で製造されたハウジング１０と、このハウジング１０に収容される端子２０、イジェクター５０、ピン６０、スプリング７０、更に、ハウジング１０の上部を覆う金属製のカバー３０から成る。所要部品をハウジング１０に組み込んだ後、カバー３０で上部に蓋をすることにより、後方のカードの抜出側のみが実質的に開放状態とされたコネクタが形成される。ハウジング１０とカバー３０は、例えば、ハウジング１０の穴１１にカバー３０の側壁に設けた圧入部３１を圧入すること等によって固定することができる。尚、カバー３０によってスプリング７０をより確実に保持することができるように、スプリング７０の形状に対応して、カバー３０に反対方向に延出する対の片を設け内側に該片を折り曲げて略半円状とした部分４１をカバー３０に設けるようにしてもよい。
【手続補正２】
【補正対象書類名】明細書
【補正対象項目名】００２３
【補正方法】変更
【補正の内容】
【００２３】
コネクタ１へカード３を挿入したとき、カード３はその略中央付近でイジェクター５０に位置決めされ且つ係合される。位置決めを行うため、カード３の幅方向における一方の側に、前側から後方に向かって幅広とした傾斜側面８９を形成し、これに対応して、イジェクター５０のカード当接部５９を傾斜面としてある。位置決めと同時に係合させるため、カード３の傾斜側面８９よりも更にカードの抜出側に近い側に、幅方向において内側に引っ込んだ凹部２６を形成し、これに対応して、イジェクター５０に、この凹部２６に係合されるカード係合部５６を設けている。カード係合部５６は、例えば、イジェクター５０の幅方向における一方の側の底板を垂立させ、その頂部を折り曲げることによって、後方から前方に向かって（カードの抜出側からカードの挿入側に向かって）、急勾配を有する略垂直三角形状に形成されており、イジェクター５０の底面の下方に引っ込み可能な状態でハウジングの内部に弾性突出している。コネクタにカード３が挿入されると、カード係合部５６はカード３と衝突して、カードの挿抜方向とカードの幅方向の双方に直交する方向に変位され、これによってカード３の挿入を許し、カード３の凹部２６に達したときにそれと係合する。
【手続補正書】
【提出日】平成20年11月19日(2008.11.19)
【手続補正１】
【補正対象書類名】特許請求の範囲
【補正対象項目名】請求項３
【補正方法】変更
【補正の内容】
【請求項３】
前記バッテリ装置は、さらに、前記二次電池の供給電圧および供給電流を検出する第１の検出手段と、前記燃料電池の供給電流を検出する第２の検出手段とを具え、
前記電子機器の動作期間において、前記バッテリ稼働時間算出手段は、前記第１と第２の検出手段によって検出された供給電流の値を用いて前記二次電池の稼働時間および前記燃料電池の稼働時間を求め、
前記電子機器の動作停止期間において、前記バッテリ稼働時間算出手段は、予め定められた供給電流の値を用いて前記二次電池の稼働時間および前記燃料電池の稼働時間を求めることを特徴とする、請求項１に記載の電子機器。
【手続補正２】
【補正対象書類名】特許請求の範囲
【補正対象項目名】請求項８
【補正方法】変更
【補正の内容】
【請求項８】
電源部と、電力管理手段と、表示手段と、二次電池用の第１のインタフェースと、分離可能な燃料電池装置と、を具える電子機器であって、
前記電力管理手段は、前記燃料電池装置の稼働時間を表す情報を前記表示手段に表示するものであり、
前記燃料電池装置は、
前記第１のインタフェースに結合される二次電池用の第２のインタフェースと、
二次電池の電圧−残量特性を表すデータを格納している記憶装置と、
前記電源部に電力を供給するよう構成された燃料電池と、
前記記憶装置から電圧−残量特性を表すデータを受け取り、前記燃料電池から燃料の残量を表すデータを受け取る燃料電池稼働時間算出手段と、を具えており、
前記燃料電池稼働時間算出手段は、前記燃料電池の残量を表すデータと前記燃料電池の供給電流とから前記燃料電池の稼働時間を求め、前記求めた燃料電池の稼働時間を表すデータを前記第２のインタフェースおよび前記第１のインタフェースを介して前記電力管理手段に供給するものであることを特徴とする、
電子機器。
【手続補正３】
【補正対象書類名】特許請求の範囲
【補正対象項目名】請求項９
【補正方法】変更
【補正の内容】
【請求項９】
電子機器に電力を供給するよう接続可能なバッテリ装置であって、
前記電子機器との間の二次電池用のインタフェースと、
前記電子機器に電力を供給し充電可能であるよう構成された二次電池と、
前記電子機器に電力を供給するよう構成された燃料電池と、
前記二次電池から電圧−残量特性を表すデータを受け取り、前記燃料電池から燃料の残量を表すデータを受け取るバッテリ稼働時間算出手段と、を具えており、
前記バッテリ稼働時間算出手段は、前記電圧−残量特性を表すデータに従って、前記二次電池の供給電圧および供給電流から前記二次電池の残量を表すデータおよび前記二次電池の稼働時間を求め、前記燃料電池の残量を表すデータと前記燃料電池の供給電流とから前記燃料電池の稼働時間を求め、前記二次電池と前記燃料電池のいずれが先に所定の残量になるかを推定し、前記燃料電池が先に所定の残量になると推定された場合には、前記二次電池の残量を表すデータ、前記燃料電池の残量を表すデータ、および前記二次電池および前記燃料電池の供給電流に基づいて、前記バッテリ装置の稼働時間を求め、前記二次電池が先に所定の残量になると推定された場合には、前記二次電池の稼働時間に基づいて、前記バッテリ装置の稼働時間を求め、前記求めたバッテリ装置の稼働時間を表すデータを前記第２のインタフェースおよび前記第１のインタフェースを介して前記電子機器に供給するものであることを特徴とする、
バッテリ装置。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
第１基板、前記第１基板と向き合い所定電圧の提供を受ける所定電極を有する第２基板及び前記第１基板と第２基板との間に介在された絶縁層を有するパネルに加えられる外部圧力を感知するセンシング回路において、
前記第１基板上に設けられ前記絶縁層を間に置き前記所定電極と向き合ってセンシングキャパシタを形成するセンシング電極と、
前記センシング電極に電気的に接続され、第１スイッチング信号に基づいて前記センシングキャパシタを充電するように動作する第１スイッチング素子と、
第２スイッチング信号に基づいて第１電源電圧による電流を出力するように動作する第２スイッチング素子と、
前記センシング電極に電気的に接続され、前記外部圧力による前記センシングキャパシタのキャパシタンス変化に対応するように前記電流を調節して前記外部圧力によるセンシング信号を生成する第３スイッチング素子と、
を含むことを特徴とするセンシング回路。
【請求項２】
前記第１スイッチング信号と前記第２スイッチング信号は互いに反転位相を有することを特徴とする請求項１に記載のセンシング回路。
【請求項３】
前記第２スイッチング素子に第１電源電圧を提供する第１電源電圧ラインと、
前記第１スイッチング素子に第２電源電圧を提供する第２電源電圧ラインと、
前記第３スイッチング素子に第３電源電圧を提供する第３電源電圧ラインと、
前記第１スイッチング素子に前記第１スイッチング信号を提供する第１スイッチングラインと、
前記第２スイッチング素子に前記第２スイッチング信号を提供する第２スイッチングラインと、
をさらに含むことを特徴とする請求項１に記載のセンシング回路。
【請求項４】
前記第１スイッチング素子は、
前記第２電源電圧が提供される第１電極と、
前記第１スイッチング信号が提供される第２電極と、
前記センシング電極に電気的に接続された第３電極と、
を含むことを特徴とする請求項３に記載のセンシング回路。
【請求項５】
前記第２スイッチング素子は、
前記第１電源電圧が提供される第１電極と、
前記第２スイッチング信号が提供される第２電極と、
前記第３スイッチング素子と接続された第３電極と、
を含むことを特徴とする請求項３に記載のセンシング回路。
【請求項６】
前記第３スイッチング素子は、
前記センシング電極に電気的に接続された第１電極と、
前記第３電源電圧が提供される第２電極と、
前記第２スイッチング素子と接続された第３電極と、
を含むことを特徴とする請求項３に記載のセンシング回路。
【請求項７】
前記センシング信号を増幅するオペアンプをさらに含むことを特徴とする請求項１に記載のセンシング回路。
【請求項８】
アレイ基板、前記アレイ基板と向き合い共通電圧の提供を受ける共通電極を有する対向基板及び前記アレイ基板と前記対向基板との間に介在された液晶層からなる表示パネルと、
前記表示パネル内に設けられ、外部圧力による前記液晶層の厚さ変化によるセンシング信号を出力するセンシングアレイと、
前記センシング信号に基づいて前記外部圧力が提供された位置情報を生成する制御部と、
を含み、前記センシングアレイは、
前記アレイ基板上に設けられ前記液晶層を間に置き前記共通電極と向き合ってセンシングキャパシタを形成するセンシング電極と、
前記センシング電極に電気的に接続され、第１スイッチング信号に基づいて前記センシングキャパシタを充電するように動作する第１スイッチング素子と、
第２スイッチング信号に基づいて第１電源電圧による電流を出力するように動作する第２スイッチング素子と、
前記センシング電極に電気的に接続され、前記外部圧力による前記センシングキャパシタのキャパシタンス変化に対応するように前記電流を調節して前記センシング信号を生成する第３スイッチング素子と、
を含むことを特徴とする表示装置。
【請求項９】
前記第１スイッチング信号と第２スイッチング信号は互いに反転位相を有することを特徴とする請求項８に記載の表示装置。
【請求項１０】
前記アレイ基板は、
表示領域と、前記表示領域に隣接した周辺領域とで区分される基板と、
前記表示領域に対応して前記基板上に設けられた画素アレイと、
を含み、
前記センシング電極は前記表示領域に形成され、
前記第１〜第３スイッチング素子は前記周辺領域に形成されることを特徴とする請求項８に記載の表示装置。
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
転送単位がメモリアクセス要求の転送単位より小さい複数のコマンドを生成する生成手段と、
メモリアクセス要求が複数の要求元から行われている場合、前記複数のコマンドをメモリに対し要求元毎に交互に発行する発行手段を有し、
複数のメモリアクセス要求が時分割並列的に実行されることを特徴とするメモリ制御装置。
【請求項２】
前記発行手段は、前記メモリアクセス要求がメモリ読み出し要求である場合にのみ、前記複数のコマンドを前記メモリに対し要求元毎に交互に発行することを特徴とする請求項１のメモリ制御装置。
【請求項３】
前記発行手段は、受け付けたメモリアクセス要求を順に格納するコマンドキューを備え、前記コマンドキューの先頭および２番目のアクセス要求についてのみ、前記複数のコマンドを交互に発行する候補とすることを特徴とする請求項１のメモリ制御装置。
【請求項４】
転送単位がメモリアクセス要求の転送単位より小さい複数のコマンドを生成し、
メモリアクセス要求が複数の要求元から行われている場合、前記複数のコマンドをメモリに対し要求元毎に交互に発行し、
複数のメモリアクセス要求が時分割並列的に実行されることを特徴とするメモリ制御方法。
【請求項５】
前記発行工程は、前記メモリアクセス要求がメモリ読み出し要求である場合にのみ、前記複数のコマンドを前記メモリに対し要求元毎に交互に発行することを特徴とする請求項４のメモリ制御方法。
【請求項６】
メモリコントローラと、システムバスと、メモリとを備える組み込み機器であって、
前記メモリコントローラは、転送単位がメモリアクセス要求の転送単位より小さい複数のコマンドを生成し、メモリアクセス要求が複数の要求元から行われている場合、前記複数のコマンドを前記メモリに対し要求元ごとに交互に発行し、
複数のメモリアクセス要求が時分割並列的に実行されることを特徴とする組み込み機器。
【請求項７】
前記システムバスは、バスマスタの識別子をスレーブに転送し、スレーブはバスマスタにリードデータを返す際に前記バスマスタの識別子とともに返すことを特徴とする請求項６の組み込み機器。
【請求項８】
複数の要求元からのリード要求に従ってメモリにアクセスした結果のリードデータを格納する格納手段と、
前記格納手段から前記リードデータを前記複数の要求元に設定された優先度に従った順番で転送する転送手段とを有することを特徴とするメモリ制御装置。
【請求項９】
複数の要求元からのリード要求に従ってメモリにアクセスした結果のリードデータを格納し、
前記格納されたリードデータを前記複数の要求元に設定された優先度に従った順番で転送することを特徴とするメモリ制御方法。
【請求項１０】
メモリコントローラと、システムバスと、メモリとを備える組み込み機器であって、
前記メモリコントローラは、複数の要求元からのリード要求に従って前記メモリにアクセスした結果のリードデータを一時格納するバッファ手段を備え、前記バッファ手段から前記リードデータを前記複数の要求元に設定された優先度に従った順番で転送することを特徴とする組み込み機器。
【手続補正２】
【補正対象書類名】明細書
【補正対象項目名】０１１４
【補正方法】変更
【補正の内容】
【０１１４】
以下、システムバス９０２を構成する信号を説明する。ただし、本実施例において、システムバス９０２を構成する信号の説明は、第１の実施例と共通する信号については、省略する。
b_size[3:0]      Access Size      Master → Slave
Ｂｕｒｓｔ  ｓｉｚｅ（ｂ＿ｓｉｚｅ［３：０］）（Ｍａｓｔｅｒ→Ｓｌａｖｅ）は、システムバス９２０上のバス転送のバースト数を示す。１から１６ビートまで指定可能である。ｔｓと同時に確定させ、ｔｓのデアサートの１サイクル後のサイクルまで保持する。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
開閉可能な開閉体の所定位置に装備ユニットが装着され、前記装備ユニット内には、回路基板が組み込まれた遊技機であって、
前記開閉体の所定位置に前記装備ユニットが装着された状態において、前記開閉体が閉じ状態、開き状態、いずれの状態にあっても前記回路基板の表裏両面が、同回路基板の前後に配置された前後の両不透明部材によって覆われ、
前記開閉体が開かれることで、前記後側の不透明部材が視認可能にされ、
前記後側の不透明部材には、前記回路基板の一面を局部的に透視可能な透視部が形成され、
前記回路基板のその一面には、前記後側の不透明部材の透視部に対応する位置において基板情報が表示されていることを特徴とする遊技機。
【請求項２】
請求項１に記載の遊技機であって、
前側の不透明部材は、装備ユニットの構成体によって構成され、
後側の不透明部材は、装備ユニットが装着される開閉体のユニット装着部によって構成されていることを特徴とする遊技機。
【請求項３】
請求項２に記載の遊技機であって、
開閉体は、遊技機の前側にヒンジ機構によって開閉可能に設けられかつ遊技領域を透視可能な窓板を有するガラス扉であり、
装備ユニットは、前記ガラス扉の扉本体フレーム前側のユニット装着部を後側の不透明部材として装着された表示ユニットによって構成され、
前側の不透明部材は、表示ユニットの構成体によって構成されていることを特徴とする遊技機。
【請求項４】
請求項１に記載の遊技機であって、
前側の不透明部材は、装備ユニットが装着される開閉体のユニット装着部によって構成され、
後側の不透明部材は、装備ユニットの構成体によって構成されていることを特徴とする遊技機。
【請求項５】
請求項４に記載の遊技機であって、
開閉体は、遊技機の外枠にヒンジ機構によって開閉可能に装着されかつ遊技盤が着脱可能に装着される本体枠であり、
装備ユニットは、前記本体枠の後側に設けられたユニット装着部を前側の不透明部材として装着されかつ球を遊技機の前側に払い出す球払出ユニットによって構成され、
後側の不透明部材は、前記球払出ユニットの構成体であることを特徴とする遊技機。
【請求項６】
請求項１〜５のいずれか一項に記載の遊技機であって、
回路基板の一面の基板情報は、同回路基板のその一面の配線パターンを形成する銅箔の一部によって形成され、前記配線パターンとともに透明な絶縁層によって覆われていることを特徴とする遊技機。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
遊技に関連して演出音を発するスピーカを備えた遊技機であって、
遊技機の前側に、前方に開口しかつ内部空間を音響室とするスピーカボックスが設けられ、
前記スピーカボックスの前記開口部には、同開口部を塞ぐようにしてスピーカが装着され、
前記スピーカボックスを構成する壁の一部には、前記スピーカに一端部が接続されたスピーカ接続線の端末コネクタが挿通可能な大きさのコネクタ挿通孔が形成され、
前記コネクタ挿通孔は、前記スピーカ接続線の端末コネクタが挿通された後、同コネクタ挿通孔に嵌込みによって装着されるキャップによって塞がれ、
前記コネクタ挿通孔と前記キャップのうち、少なくとも一方には、前記コネクタ挿通孔に対する前記キャップの嵌込みを前記スピーカ接続線が阻害することがないように同スピーカ接続線を挿通可能な接続線挿通部が形成されていることを特徴とする遊技機。
【請求項２】
請求項１に記載の遊技機であって、
前記コネクタ挿通孔に前記キャップが装着され、かつ前記接続線挿通部に前記スピーカ接続線が挿通された状態において、同スピーカ接続線の線上には、音響室側において前記接続線挿通部に係合することで、同スピーカ接続線の不測の引き出しを阻止する引出阻止部が設けられていることを特徴とする遊技機。
【請求項３】
請求項１又は２に記載の遊技機であって、
前記接続線挿通部は、前記コネクタ挿通孔の一部に連通して形成されていることを特徴とする遊技機。
【請求項４】
請求項１又は２に記載の遊技機であって、
前記接続線挿通部は、前記キャップの一部に形成されていることを特徴とする遊技機。
【誤訳訂正書】
【提出日】平成21年10月21日(2009.10.21)
【誤訳訂正１】
【訂正対象書類名】明細書
【訂正対象項目名】００３２
【訂正方法】変更
【訂正の内容】
【００３２】
中央部品３０は、筒状内側スリーブ１４および筒状外側スリーブ１６に共通の軸Ａを中心とする回転対称形をなしている。中央部品３０はまた、内側スリーブ１４の内側から外側スリーブ１６の外側に伸びるスリット２２を有する。このスリット２２は、一般に放射状である（すなわち軸Ａに対して垂直である）。
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
機能的なタイプ３ イノシトール1,4,5-三リン酸レセプター（IP3R3）およびタイプ２ イノシトール1,4,5-三リン酸レセプター（IP3R2）のいずれか一方を有していない非ヒト脊椎動物に薬剤を投与し、該動物の外分泌量、消化酵素の分泌量、ならびに顎下腺細胞および/または膵臓細胞におけるアセチルコリンレセプター刺激による細胞内カルシウム濃度の上昇量からなる群より選択される少なくとも１つを測定することを含み、該測定した量が、薬剤を投与していない上記動物個体に比べて、該薬剤を投与した非ヒト脊椎動物個体で増加していることを指標とする、外分泌不全、消化酵素分泌不全、味覚または聴覚障害を改善し得る薬剤をスクリーニングする方法。
【請求項２】
機能的なタイプ３ イノシトール1,4,5-三リン酸レセプター（IP3R3）およびタイプ２ イノシトール1,4,5-三リン酸レセプター（IP3R2）のいずれか一方を有していない非ヒト脊椎動物に由来する細胞でアセチルコリンレセプターを発現している細胞に、薬剤を接触させ、該細胞のアセチルコリンレセプター刺激による細胞内カルシウム濃度の上昇量を測定し、該測定した量が、薬剤と接触させていない上記細胞に比べて、該薬剤を接触させた細胞で増加していることを指標とする、外分泌不全、消化酵素分泌不全、味覚または聴覚障害を改善し得る薬剤をスクリーニングする方法。
【請求項３】
機能的なタイプ３ イノシトール1,4,5-三リン酸レセプター（IP3R3）およびタイプ２ イノシトール1,4,5-三リン酸レセプター（IP3R2）のいずれか一方を有していない非ヒト脊椎動物に由来する顎下腺細胞または膵臓細胞に、薬剤を接触させ、該細胞からの外分泌液量または消化酵素分泌量を測定し、該測定した量が、薬剤と接触させていない上記細胞に比べて、該薬剤を接触させた細胞で増加していることを指標とする、外分泌不全、消化酵素分泌不全、味覚または聴覚障害を改善し得る薬剤をスクリーニングする方法。
【請求項４】
非ヒト脊椎動物が、機能的なIP3R2と機能的なIP3R3の両方を有していないものである、請求項１〜３のいずれか１項に記載の方法。
【請求項５】
非ヒト脊椎動物が囓歯動物である、請求項１〜４のいずれか１項に記載の方法。
【請求項６】
非ヒト脊椎動物がマウスである、請求項１〜５のいずれか１項に記載の方法。
【請求項７】
細胞が不死化された細胞である、請求項２〜６のいずれか１項に記載の方法。
【請求項８】
外分泌が唾液または涙の分泌である、請求項１〜７のいずれか１項に記載の方法。
【請求項９】
上記外分泌不全を改善し得る薬剤が、シェーグレン症候群、唾液または涙腺における自己免疫疾患、口内乾燥、乾燥性角結膜炎からなる群から選択される障害を治療または予防するための薬剤である、請求項１〜８のいずれか１項に記載の方法。
【請求項１０】
上記外分泌不全が唾液分泌不全または涙分泌不全である、請求項１〜９のいずれか１項に記載の方法。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
生体内画像センサ（４６）を追跡するシステムであって、
生体内画像センサ（４６）の時間にわたる位置を特定する位置検出ユニット（１５）と、
生体内画像センサ（４６）により検出された情報に基づき、位置検出ユニット（１５）によりサンプリングされたデータを修正するデータ修正ユニット（１７）と、
信号強度検出器（２４）と、
少なくとも１つのアンテナ（１０）とを備え、アンテナ（１０）が、生体内画像センサ（４６）から送信された信号を受信する、システム。
【請求項２】
データ修正ユニット（１７）が、ほぼリアルタイムでデータを修正する、請求項１に記載のシステム。
【請求項３】
データ修正ユニット（１７）が、メジアンフィルタを備えている、請求項１または２に記載のシステム。
【請求項４】
生体内画像センサ（４６）が、生体内画像を獲得する、請求項１から３のいずれか一項に記載のシステム。
【請求項５】
データ修正ユニット（１７）が、運動性検出器（１６）を備える、請求項１から４のいずれか一項に記載のシステム。
【請求項６】
運動性検出器（１６）が、生体内画像センサ（４６）により獲得された画像を比較する、請求項５に記載のシステム。
【請求項７】
生体内画像センサ（４６）の追跡情報を表示する表示ユニット（１８）を備える、請求項１から６のいずれか一項に記載のシステム。
【請求項８】
生体内画像センサ（４６）が、自律型である、請求項１から７のいずれか一項に記載のシステム。
【請求項９】
生体内画像センサ（４６）を含む飲み込み可能なカプセル（４０）を備える、請求項１から８のいずれか一項に記載のシステム。
【請求項１０】
少なくとも１つの生体内画像センサ（４６）と画像データを送信する送信器（４１）とを含む、飲み込み可能なカプセル（４０）と、
送信器（４１）から送られた信号を受信するアンテナアレイ（１０）と、
受信信号を記録するレコーダ（１９）とを備える、請求項１から８のいずれか一項に記載のシステム。
【手続補正書】
【提出日】平成20年12月18日(2008.12.18)
【手続補正１】
【補正対象書類名】明細書
【補正対象項目名】０００４
【補正方法】変更
【補正の内容】
【０００４】
医用イメージングにおける画像処理のために、特に明るい周辺の中の暗い領域の視覚化又はその逆の視覚化のために、既知のシステムは、出力画像が相対的に明るい周辺の中の暗い領域を又はその逆を明瞭に（視覚可能に）描出するような手順を提供していない。
【特許文献１】米国特許第６４３６０４９号
【誤訳訂正書】
【提出日】平成21年10月23日(2009.10.23)
【誤訳訂正１】
【訂正対象書類名】特許請求の範囲
【訂正対象項目名】請求項１
【訂正方法】変更
【訂正の内容】
【請求項１】
注射装置において、該注射装置の少なくとも１つの設定又は作用過程を検出する少なくとも１つのセンサ（１０２；１１１、１１２、１１３）と、該センサ（１０２；１１１、１１２、１１３）と接続され且つ、１つ以上のセンサ信号に基づいて、所定の又は設定された作用寿命の開始及び経過時間を判断する電子回路（１０４）と、該回路（１０４）と接続され且つ、該回路（１０４）により検出された注射装置の作用寿命の終了時をユーザに表示する信号を出力することができる電子的、光学的及び／又は聴覚的出力装置（１０３、１１０）とを備える、注射装置。
【誤訳訂正２】
【訂正対象書類名】明細書
【訂正対象項目名】００１１
【訂正方法】変更
【訂正の内容】
【００１１】
例えば、タイマーと共に、データ記憶装置を注射装置内に設けることもでき、この記憶装置には、例えば、注射装置が最初に作用したとき、投薬量の設定過程の回数及び／又は時間、及び／又は送り出し過程の回数及び／又は時間、及び／又はアンプルの交換回数及び／又は時間に関するデータのような、注射装置にて行った設定又は作用過程に関するデータを記憶させることができる。注射装置内に設けられたプロセッサ又はコントローラは、例えば、記憶装置内に記憶された注射装置の使用に関するデータを、例えば、製造メーカが一定状態にて予め決定し又は設定した注射装置の可能な使用に関する最大限界値と比較し、例えば、アンプルの交換又は送り出し過程の許容可能な最高回数に達し又はそれを超えたとき、信号を出力し、上述したように警報信号を発生させることができ、このことは、ユーザにアンプルの交換又は送り出し過程の最大回数に達し又はそれを超えたことを表示する。注射装置の作用寿命の終わりを確認するため、注射装置の作用又は作動パラメータを使用するならば、その後、使用寿命の時間期間は、ユーザが注射装置を使用する方法に依存して変化するであろう。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
ビデオデコーダにおいて１つのビデオシーケンスの中の１つまたは複数のビデオイメージを再構築する方法であって、
複数のマクロブロックの各マクロブロックに関して、符号化ブロックパターンを復号化するステップであって、そこでは、前記符号化ブロックパターン（ＣＢＰ）は、前記複数のマクロブロックの複数の輝度ブロックおよび複数の色差ブロックのいずれがビットストリーム中の対応変換係数データを有するかを示すステップを有し、
前記復号化するステップは、前記複数のマクロブロックの各マクロブロックに関して、
可変長符号を受け取るステップであって、そこでは、当該受け取った符号化ブロックパターンに関する可変長符号は符号テーブルにおける符号テーブルエントリを示し、前記符号テーブルエントリは、
（ａ）前記マクロブロックの複数の輝度ブロックに関する第１の情報および
（ｂ）前記マクロブロックの複数の色差ブロックに関する第２の情報であって、前記符号化ブロックパターンの色差に関する複数の符号化ブロックパターン（ＣＢＰＣ）のビットを表す第２の情報
を表す結合パラメータを規定しているステップと、
前記受け取った可変長符号を復号化して前記符号化ブロックパターンに関する前記第１の情報および前記第２の情報を取得するステップであって、前記第１の情報は複数のビットを含み、当該複数のビットは複数の予測子隣接ビットを含むステップと、
空間予測により予測子を計算するステップであって、該予測子は複数の予測子ビットを含むステップと、
前記複数の予測子隣接ビットを使用しておよび複数の予測子ビットを使用して、前記符号化ブロックパターンの輝度に関する複数の符号化ブロックパターン（ＣＢＰＹ）のビットを決定するステップと、
前記再構築において、前記複数のマクロブロックに関する符号化ブロックパターンを使用するステップと
を備えたことを特徴とする方法。
【請求項２】
請求項１に記載の方法において、前記複数の予測子隣接ビットおよび複数の予測子ビットを使用するステップは前記複数の予測子隣接ビットおよび複数の予測子ビットの間でビット単位のＸＯＲを計算するステップを有することを特徴とする方法。
【請求項３】
請求項１に記載の方法において、前記ビデオデコーダはイントラタイプのマクロブロックに関して前記空間予測を実行し、他のタイプのマクロブロックに関しては実行しないことを特徴とする方法。
【請求項４】
請求項１に記載の方法において、少なくとも何らかの前記空間予測は以前に復号化された符号化ブロックパターンに基づくことを特徴とする方法。
【請求項５】
ビデオエンコーダにおいて１つのビデオシーケンスの中の１つまたは複数のイメージを符号化する方法であって、
複数のマクロブロックに関して符号化ブロックパターン（ＣＢＰ）を符号化するステップであって、前記符号化ブロックパターンは前記複数のマクロブロックの複数の輝度ブロックおよび複数の色差ブロックのいずれがビットストリーム中の対応変換係数データを有するかを示すステップを有し、
前記符号化するステップは、前記複数のマクロブロックの各マクロブロックに関して、
空間予測により予測氏を計算するステップであって、前記予測子は複数の予測子ビットを含むステップと、
前記マクロブロックの複数の輝度ブロックに関して、前記符号化ブロックパターンの輝度に関する符号化ブロックパターン（ＣＢＰＹ）のビットおよび予測子ビットを使用して第１の情報決定するステップであって、前記第１の情報は複数の予測子隣接ビットを含むステップと、
可変長符号を符号化するステップであって、該可変長符号は符号テーブルにおける符号テーブルエントリを示し、前記符号テーブルエントリは、前記第１の情報および第２の情報を表す結合パラメータを規定しており、前記第２の情報は前記符号化ブロックパターンの色差に関する複数の符号化ブロックパターン（ＣＢＰＣ）のビットを表すステップと、
前記可変長符号を出力するステップと
を有することを特徴とする方法。
【請求項６】
請求項５に記載の方法において、前記決定するステップは前記複数の予測子隣接ビットおよび複数の予測子ビットの間でビット単位のＸＯＲを計算するステップを有することを特徴とする方法。
【請求項７】
請求項５に記載の方法において、前記ビデオエンコーダはイントラタイプのマクロブロックに関して前記空間予測を実行し、他のタイプのマクロブロックに関しては実行しないことを特徴とする方法。
【請求項８】
請求項５に記載の方法において、少なくとも何らかの前記空間予測は以前に符号化された符号化ブロックパターンに基づくことを特徴とする方法。
【請求項９】
請求項５に記載の方法において、前記空間予測は所与のブロックの上左隣接ブロックおよび上隣接ブロックを含む比較に少なくとも基づくことを特徴とする方法。
【請求項１０】
請求項９に記載の方法において、上左隣接ブロックおよび上隣接ブロックの少なくとも１つは前記所与のブロックとは異なるマクロブロック内にあることを特徴とする方法。
【請求項１１】
請求項１乃至８のいずれかに記載の方法において、前記複数のマクロブロックの各マクロブロックに関して、該マクロブロックは４つの８×８の輝度ブロックと２つの８×８の色差ブロックを有し、および前記符号化ブロックパターン６はビットで構成され、各ビットは前記４つの輝度ブロックおよび２つの色差ブロックの対応ブロックが前記ビットストリーム中の対応変換係数データを有するかを示すことを特徴とする方法。
【請求項１２】
請求項１乃至８のいずれかに記載の方法を、それによりプログラムされたコンピュータシステムに実行させるコンピュータ実行可能命令を記録したことを特徴とするコンピュータ読み取り可能媒体。